(57)【要約】【課題】簡易な構成により高い精度で移動体を検知し、その情報を通知し得るようにする。【解決手段】移動体情報通知システム１０では、対象路側機１１ＡのＬｉＤＡＲ部２５により計測範囲ＡＲ１内における距離を計測して得られる距離計測結果を基に移動体を検知し、各移動体の無線タグ５１から車両種別等のタグ情報を読み出す。続いて移動体情報通知システム１０では、検知した移動体に関する移動体情報を基に移動体情報を生成し、これを他路側機１１Ｚへ送信して他移動体へ通知させる。これにより移動体情報通知システム１０では、周囲の明るさ等に影響を受けることなく、対象道路２Ａにおける移動体に関する極めて高精度な移動体情報を生成でき、この移動体情報を他道路２Ｚ上の他移動体に通知することで、交差点１において死角があることに起因した事故の防止や軽減に繋げることができる。【選択図】図３
2020035397.tif 000002
【特許請求の範囲】
【請求項１】
道路に設定された基準位置から、該道路における所定の計測方向側において、光を用いて計測した該基準位置からの距離を基に、前記道路を移動する移動体を検知する移動体検知部と、
前記移動体から該移動体の種別を表す種別情報を取得する種別情報取得部と、
前記移動体検知部による検知結果及び前記種別情報取得部により取得した前記種別情報を基に、前記道路における前記計測方向と異なる他方向側において前記基準位置の近傍を移動する他の移動体に通知すべき移動体情報を生成する移動体情報生成部と、
前記移動体情報を前記他の移動体に通知する通知部と
を具えることを特徴とする移動体情報通知装置。
【請求項２】
前記移動体検知部は、前記基準位置からの距離を基に、前記移動体の移動方向を検知し、
前記移動体情報生成部は、前記基準位置から遠ざかる方向へ進行する前記移動体に関する情報を除外して前記移動体情報を生成する
ことを特徴とする請求項１に記載の移動体情報通知装置。
【請求項３】
前記移動体検知部は、前記基準位置からの距離を基に、前記移動体の移動方向及び移動速度を検知し、
前記移動体情報生成部は、所定の基準速度よりも大きい速度で前記基準位置から遠ざかる方向へ進行する前記移動体に関する情報を除外して前記移動体情報を生成する
ことを特徴とする請求項２に記載の移動体情報通知装置。
【請求項４】
前記移動体検知部は、前記基準位置からの距離を基に、前記移動体の大きさ及び移動速度を検知し、
前記移動体情報生成部は、前記種別情報取得部により前記移動体から前記種別情報を取得できなかった場合、前記移動体検知部により検知された当該移動体の大きさ及び移動速度を基に種別を判定し、得られた判定結果を用いて前記移動体情報を生成する
ことを特徴とする請求項１に記載の移動体情報通知装置。
【請求項５】
前記移動体検知部は、前記道路における車線ごとに前記移動体を検知し、
前記種別情報取得部は、前記車線ごとに前記移動体の前記種別情報を取得する
ことを特徴とする請求項１に記載の移動体情報通知装置。
【請求項６】
前記基準位置を表す位置情報を取得する位置情報取得部
をさらに具え、
前記移動体情報生成部は、前記移動体情報に前記位置情報を含めて生成する
ことを特徴とする請求項１に記載の移動体情報通知装置。
【請求項７】
前記計測方向の方位を表す方位情報を取得する方位情報取得部
をさらに具え、
前記移動体情報生成部は、前記移動体情報に前記方位情報を含めて生成する
ことを特徴とする請求項１に記載の移動体情報通知装置。
【請求項８】
前記種別情報は、前記移動体の大きさに基づいて区分されている
ことを特徴とする請求項１に記載の移動体情報通知装置。
【請求項９】
前記種別情報は、前記移動体の移動速度に基づいて区分されている
ことを特徴とする請求項１に記載の移動体情報通知装置。
【請求項１０】
前記種別情報は、前記移動体が前記道路を通行する際に優先されるべき度合に基づいて区分されている
ことを特徴とする請求項１に記載の移動体情報通知装置。
【請求項１１】
道路上の移動体に関する情報を表す通知情報を生成して他の道路上の他の移動体へ通知する移動体情報通知システムであって、
前記道路に設定された基準位置から、該道路における所定の計測方向側において、光を用いて計測した該基準位置からの距離を基に、該道路を移動する前記移動体を検知する移動体検知部と、
前記移動体から該移動体の種別を表す種別情報を取得する種別情報取得部と、
前記移動体検知部による検知結果及び前記種別情報取得部により取得した前記種別情報を基に、前記道路における前記計測方向と異なる他方向側において前記基準位置の近傍を移動する他の移動体に通知すべき移動体情報を生成する移動体情報生成部と、
前記移動体情報を前記他の移動体に通知する通知部と
を具えることを特徴とする移動体情報通知システム。
【発明の詳細な説明】
【技術分野】
【０００１】
本発明は移動体情報通知装置及び移動体情報通知システムに関し、例えば交差点の近傍を走行する車両等の移動体に対し、当該移動体から見て死角となる位置にある他の移動体に関する情報を通知する移動体情報通知システムに適用して好適なものである。
【背景技術】
【０００２】
従来、移動体情報通知システムとして、交差点の近傍を走行する車両に対し、当該車両から死角となる箇所を走行している他の車両に関する情報を通知するものが提案されている。このような移動体情報通知システムとしては、例えば交差点の近傍における路上などにレーダーを設置し、該レーダーにより対象物の移動状況を検知し、危険車両の存在を車両に通知するものが提案されている（例えば、特許文献１参照）。
【先行技術文献】
【特許文献】
【０００３】
【特許文献１】特開２００５−１４９２３１号公報（図２等）
【発明の概要】
【発明が解決しようとする課題】
【０００４】
しかしながら、かかる構成の移動体情報通知システムは、構成が複雑でありコストが高いレーダーを設置する必要があるため、例えば比較的大きな交差点のように、設置できる場所が限定されてしまう。このためこの移動体情報通知システムは、比較的小さく見通しの悪い交差点のように、設置の必要性が高い場所に必ずしも設置できない、という問題があった。
【０００５】
本発明は以上の点を考慮してなされたもので、簡易な構成により高い精度で移動体を検知し、その情報を通知し得る移動体情報通知装置及び移動体情報通知システムを提案しようとするものである。
【課題を解決するための手段】
【０００６】
かかる課題を解決するため本発明の移動体情報通知装置においては、道路に設定された基準位置から、該道路における所定の計測方向側において、光を用いて計測した該基準位置からの距離を基に、道路を移動する移動体を検知する移動体検知部と、移動体から該移動体の種別を表す種別情報を取得する種別情報取得部と、移動体検知部による検知結果及び種別情報取得部により取得した種別情報を基に、道路における計測方向と異なる他方向側において基準位置の近傍を移動する他の移動体に通知すべき移動体情報を生成する移動体情報生成部と、移動体情報を他の移動体に通知する通知部とを設けるようにした。
【０００７】
また本発明の移動体情報通知システムにおいては、道路上の移動体に関する情報を表す通知情報を生成して他の道路上の他の移動体へ通知する移動体情報通知システムであって、道路に設定された基準位置から、該道路における所定の計測方向側において、光を用いて計測した該基準位置からの距離を基に、該道路を移動する移動体を検知する移動体検知部と、移動体から該移動体の種別を表す種別情報を取得する種別情報取得部と、移動体検知部による検知結果及び種別情報取得部により取得した種別情報を基に、道路における計測方向と異なる他方向側において基準位置の近傍を移動する他の移動体に通知すべき移動体情報を生成する移動体情報生成部と、移動体情報を他の移動体に通知する通知部とを設けるようにした。
【０００８】
本発明は、移動体検知部において光を用いて距離を計測し、得られた計測結果を基に道路上の移動体を、その外形や移動速度及び移動方向と共に高い精度で検知できる。これに加えて本発明は、移動体検知部により検知した移動体から種別情報を取得し、これを該移動体の情報と組み合わせることにより、該移動体に関する極めて精度の高い移動体情報を生成でき、これを他の移動体に通知できる。この結果、他の移動体は、死角に存在する移動体に関する情報を運転者等に通知でき、事故の発生を未然に防止できる。
【発明の効果】
【０００９】
本発明によれば、簡易な構成により高い精度で移動体を検知し、その情報を通知し得る移動体情報通知装置及び移動体情報通知システムを実現できる。
【図面の簡単な説明】
【００１０】
【図１】交差点近傍における道路の構成及び移動体情報通知装置の設置の様子を示す略線的平面図である。
【図２】移動体情報通知装置の設置の様子を示す略線的側面図である。
【図３】移動体情報通知装置の構成を示す略線図である。
【図４】ＬｉＤＡＲによる計測結果に基づく２次元画像を示す略線図である。
【図５】自動車のブロック構成を示す略線図である。
【図６】タグ情報テーブルの構成を示す略線図である。
【図７】通行区分及び車両種別を示す略線図である。
【図８】設置処理手順を示すフローチャートである。
【図９】移動体情報通知処理手順を示すフローチャートである。
【発明を実施するための形態】
【００１１】
以下、発明を実施するための形態（以下実施の形態とする）について、図面を用いて説明する。
【００１２】
［１．交差点近傍における道路の構成及び移動体情報通知装置の設置］
図１は、交差点１を中心として４本の道路２（２Ｎ、２Ｅ、２Ｗ及び２Ｓ）が交差する様子を表す模式的な平面図である。４本の道路２（２Ｎ、２Ｅ、２Ｗ及び２Ｓ）は、交差点１からそれぞれ北方向、東方向、西方向及び南方向に向けて形成されている。また図２は、交差点１から北方向へ向かう道路２Ｎを東側から見た様子を表す模式的な側面図である。
【００１３】
説明の都合上、以下では、道路２において交差点１へ近接する方向を上り方向とも呼び、また該交差点１から離隔する方向を下り方向とも呼ぶ。例えば北側の道路２Ｎでは、図２に示したように、南方向が上り方向となり、北方向が下り方向となる。
【００１４】
交差点１の近傍には、地面に対して４本の支柱３（３Ｎ、３Ｅ、３Ｗ及び３Ｓ）がそれぞれ上方向に向けて立設されている。各支柱３は、上端寄りの箇所において、概ね水平方向へ向けて水平支柱４（４Ｎ、４Ｅ、４Ｗ及び４Ｓ）がそれぞれ垂設されている。
【００１５】
各道路２には、複数の自動車５（５Ａ、５Ｂ、５Ｃ及び５Ｄ）が走行又は停車しており、また自転車７Ａ並びに歩行者８Ａ及び８Ｂ等も存在している。因みに自動車５は、日本国の交通法規に則り、道路の進行方向に対して左側を走行している。説明の都合上、以下では、自動車５、自転車７及び歩行者８、或いは図示しない自動二輪車（オートバイ）や車椅子等、道路２上を移動する種々のものをまとめて移動体と呼ぶ。
【００１６】
さらに交差点１の近傍における道路２以外の部分には、図示しない建物や塀等が設置されている。このため道路２（例えば東側の道路２Ｅ）上を走行している自動車５の運転者や該道路２上を歩行している歩行者８Ａ等は、交差点１において交差する他の道路２（例えば道路２Ｎ及び２Ｓ）を走行している他の自動車５や歩行者８等を視認できない可能性がある。
【００１７】
これに加えて交差点１の近傍には、各道路２に対応するように、各水平支柱４に、移動体情報通知装置としての路側機１１（１１Ｎ、１１Ｅ、１１Ｗ及び１１Ｓ）がそれぞれ設置されている。この路側機１１は、後述するように、対応する道路２上の移動体を検知し、当該移動体に関する情報を生成し、さらに通知するようになっている。
【００１８】
図３に示すように、４台の路側機１１（１１Ｎ、１１Ｅ、１１Ｗ及び１１Ｓ）は、ネットワーク１２を介して相互に接続されることにより、移動体情報通知システム１０を形成している。なお４台の路側機１１は、何れも同等に構成されている。そこで以下では、路側機１１Ｎを例に説明する。
【００１９】
説明の都合上、以下では着目している路側機１１Ｎを対象路側機１１Ａとも呼び、該対象路側機１１Ａ以外の他の路側機１１Ｅ、１１Ｗ及び１１Ｓを他路側機１１Ｚとも呼ぶ。また以下では、路側機１１Ｎが設置されている北側の道路２Ｎを対象道路２Ａとも呼び、交差点１に接続されている他の道路２、すなわち道路２Ｅ、２Ｗ及び２Ｓを他道路２Ｚとも呼ぶ。
【００２０】
［１−１．路側機の構成］
路側機１１Ｎは、図２に示したように、全体として直方体状に構成されており、対象道路２Ａ（すなわち道路２Ｎ）の下り方向（すなわち北方向）にその正面を向けるようにして、水平支柱４に取り付けられている。また路側機１１Ｎは、図３に示したように、その内部において、バス２０を介して制御部２１、記憶部２２、通信部２３、位置方位検知部２４、ＬｉＤＡＲ（Light Detection and Ranging）部２５及びタグリーダ部２６が相互に接続された構成となっている。
【００２１】
制御部２１は、図示しないＣＰＵ（Central Processing Unit）を中心に構成されており、図示しないＲＯＭ（Read Only Memory）や記憶部２２等から所定のプログラムを読み出し、図示しないＲＡＭ（Random Access Memory）をワークエリアとして使用しながら、種々の処理を実行する。
【００２２】
この制御部２１は、例えば記憶部２２から移動体情報通知プログラムを読み出して実行することにより、機能ブロックとして移動体検知部３１、除外処理部３２及び移動体情報生成部３３をそれぞれ形成する。移動体検知部３１は、後述するＬｉＤＡＲ部２５から得られる計測結果を基に、道路２上を移動する移動体（自動車５や歩行者８等）を検知する処理をおこなう。この移動体検知部３１は、さらにその内部に機能ブロックとして抽出処理部４１及び移動状態認識部４２（詳しくは後述する）をそれぞれ形成する。
【００２３】
除外処理部３２は、移動体検知部３１により検知した移動体に関する情報のうち、通知すべきでない移動体に関する情報を除外する除外処理を行う。説明の都合上、以下では、該除外処理部３２により除外される移動体を除外移動体と呼ぶ。
【００２４】
移動体情報生成部３３は、移動体検知部３１により検知された移動体のうち、除外移動体を除いた残りの移動体（以下これを対象移動体と呼ぶ）に関する情報を基に移動体情報を生成する。この移動体情報は、後述するように、他道路２Ｚを走行している他の移動体（以下これを他移動体とも呼ぶ）に通知される。
【００２５】
記憶部２２は、例えばハードディスクドライブやフラッシュメモリ等のような不揮発性の情報記憶媒体であり、初期設定プログラムや移動体情報通知プログラム等の各種プログラムや各種設定情報、或いは検知した移動体に関する種々の情報等を記憶する。通信部２３は、例えばＩＥＥＥ（Institute of Electrical and Electronics Engineers）８０２．１１ａ／ｂ／ｇ／ｎ／ａｃ等の規格に準拠した無線ＬＡＮ（Local Area Network）のインタフェースであり、他の路側機１１や自動車５等との間で無線接続を確立し、種々の情報を送受信することができる。
【００２６】
位置情報取得部及び方位情報取得部としての位置方位検知部２４は、ＧＰＳ（Global Position System）受信回路やＧＰＳアンテナ等（図示せず）を有しており、ＧＰＳ衛星から送信される信号等を基に路側機１１Ｎの位置（例えば緯度、経度及び高度等）を検知し、これを基に位置情報を生成して制御部２１へ送信する。また位置方位検知部２４は、地磁気等を基に方位を検知する方位センサを有しており、路側機１１Ｎの正面が向いている方向、すなわち対象道路２Ａの下り方向の方位を検知し、これを基に方位情報を生成して制御部２１へ送信する。
【００２７】
ＬｉＤＡＲ部２５は、レーザ等の照射光を発光する発光部、該照射光が移動体等において反射されてなる反射光を受光して受光信号を生成する受光部、及び受光信号に所定の信号処理を施す信号処理部等（何れも図示せず）を有している。またＬｉＤＡＲ部２５は、照射光を反射させるミラーや、当該ミラーの姿勢（角度）を変化させるアクチュエータ等を有し、当該照射光の照射方向を様々な方向へ順次変化させて走査させる走査部も有している。因みにＬｉＤＡＲ部２５は、発光部から例えば紫外光、可視光、又は近赤外光でなるレーザを照射光として発光する。
【００２８】
このＬｉＤＡＲ部２５は、発光部により路側機１１Ｎの正面ないし下側に向けてレーザをパルス状に発光して照射光とし、該照射光が照射された対象物（例えば自動車５等）において反射及び散乱されることにより戻ってきた反射光を、受光部により受光して受光信号を生成する。さらにＬｉＤＡＲ部２５は、走査部により照射光の照射方向を水平方向に沿って順次変化させ、さらにはこれと交差する垂直方向にも変化させることにより、図１及び図２に示す計測範囲ＡＲ１内を順次走査しながら、照射光の照射及び反射光の受光を繰り返す。
【００２９】
続いてＬｉＤＡＲ部２５は、順次得られる受光信号を基に所定の演算処理を行うことにより、路側機１１の位置を基準位置として、各照射方向において照射光が反射された位置、すなわち何らかの物体が存在する位置までの距離をそれぞれ算出する。さらにＬｉＤＡＲ部２５は、平面内で照射方向に応じた位置にこれらの距離をそれぞれ配置することにより、計測範囲ＡＲ１の距離計測結果を生成し、これを制御部２１に供給する。この距離計測結果は、ＬｉＤＡＲ部２５において照射光の走査範囲（すなわち計測範囲ＡＲ１）に相当する画像を撮像した場合における、各画素を距離により表したものに相当する。
【００３０】
例えば、ＬｉＤＡＲ部２５により得られた距離計測結果において、各照射方向での距離が短いほど輝度を大きくし、距離が長いほど輝度を小さくする等、距離に応じて輝度を割り当てた場合、図４に示すような距離計測画像として表すことができる。説明の都合上、以下では、路側機１１の正面が向いた方向（例えば北方向）がＬｉＤＡＲ部２５により距離を計測する方向でもあることから、この方向を計測方向とも呼ぶ。
【００３１】
タグリーダ部２６は、所定周波数の無線信号を受信するアンテナ、受信した信号の復調処理や復号化処理等を行う信号回路等を有している。このタグリーダ部２６は、自動車５等の移動体に搭載された無線タグ（詳しくは後述する）からタグ情報を読み出し、制御部２１へ送信する。因みにタグリーダ部２６によりタグ情報を読出可能な範囲、すなわち該タグリーダ部２６の通信可能な範囲は、図１のタグ読出範囲ＡＲ２であり、ＬｉＤＡＲ部２５の計測範囲ＡＲ１よりも狭くなっている。
【００３２】
［１−２．自動車の構成］
自動車５（図１）は、図５に示すように、無線タグ５１、通信部５２、表示処理部５３及び表示部５４を有している。無線タグ５１は、いわゆるＲＦＩＤ（Radio Frequency Identification）タグとして構成されており、その内部に無線信号の送受信を行うアンテナ部６１、各種信号の変調及び復調等を行う信号処理部６２、種々の情報を記憶する記憶部６３を有している。このうち記憶部６３には、自動車５に関する種々の情報として、図６に示すタグ情報テーブルＴ１が記憶されている。
【００３３】
タグ情報テーブルＴ１には、例えば「通行区分」、「車両種別」、「車体番号」及び「所有者情報」等のような項目が設けられており、当該自動車５に関するそれぞれの値が格納されている。このうち「通行区分」の項目には、例えば図７（Ａ）に示すように、「一般」、「優先」及び「緊急」のような値が用意されており、この何れかの値がタグ情報テーブルＴ１に格納される。このうち「緊急」は、例えば警察車両や救急車両、或いは消防車両等の場合に設定される。また「優先」は、例えば身体に障碍を有する人が運転する車両等の場合に設定される。「一般」は、通常の人が運転する車両の場合に設定される。
【００３４】
また「車両種別」の項目には、図７（Ｂ）に示すように、車両（すなわち移動体）の大きさや構造、或いは移動速度等に応じた大まかな種別を表す情報として、例えば普通自動車、大型自動車、自動二輪車、路面電車及び自転車といった値が用意されており、この何れかの値がタグ情報テーブルＴ１に格納される。
【００３５】
ところで自動車５は、その製造時や販売時等のタイミングで、すなわち道路２を走行するよりも前に、無線タグ５１のタグ情報テーブルＴ１に当該自動車５に関する正しい情報が格納される。因みに、道路２を走行する自転車７や自動二輪車（図示せず）等にも、それぞれに関する正しい情報がタグ情報テーブルＴ１に格納された上で、無線タグ５１が取り付けられている。
【００３６】
これに加えて歩行者８は、スマートフォン等の電子機器を携帯しており、当該電子機器に無線タグ５１と同等の機能が組み込まれている。またこの電子機器は、ＧＰＳ受信器や振動センサ等も有しており、これから得られる位置情報や移動速度、或いは振動の様子等から、当該電子機器を所持している使用者が歩行しているか（すなわち歩行者８であるか）、或いは自動車等に乗車して移動しているか等を判断する。その上で電子機器は、使用者が歩行している場合には無線タグ５１の機能を有効化する一方、当該使用者が自動車等に乗車して移動している場合には当該無線タグ５１の機能を無効化するようになっている。
【００３７】
自動車５の通信部５２（図５）は、路側機１１Ｎの通信部２３と同様、例えばＩＥＥＥ８０２．１１ａ／ｂ／ｇ／ｎ／ａｃ等の規格に準拠した無線ＬＡＮのインタフェースであり、該路側機１１Ｎの通信部２３との間で無線接続を確立し、種々の情報を送受信することができる。この通信部５２は、路側機１１Ｎから移動体情報を受信し、これを表示処理部５３に供給する。
【００３８】
表示処理部５３は、通信部５２から供給される移動体情報を基に移動体に関する表示データを生成し、これを表示部５４へ供給する。表示部５４は、例えば液晶パネル等であり、表示処理部５３から供給される表示データに基づく表示画面を表示し、自動車５の運転者等に視認させる。
【００３９】
［２．移動体情報通知処理］
次に、移動体情報通知システム１０の路側機１１Ｎにおける初期設定処理及び移動体情報通知処理について、それぞれ詳細に説明する。
【００４０】
［２−１．初期設定処理］
路側機１１Ｎの制御部２１は、水平支柱４Ｎ（図１）に取り付けられた後、最初に電源が投入されると、記憶部２２に予め記憶されている初期設定プログラムを読み出して実行することにより、図８に示す初期設定処理手順ＲＴ１を開始し、最初のステップＳＰ１に移る。
【００４１】
ステップＳＰ１において制御部２１は、通信部２３を介して他路側機１１Ｚ（すなわち路側機１１Ｗ、１１Ｅ及び１１Ｓ）との通信を試み、次のステップＳＰ２へ移る。このとき制御部２１は、他路側機１１Ｚとの間で通信が成功すると、互いに情報を交換することにより、交差点１に設置されている他路側機１１Ｚの存在や台数等を把握し、これらを他路側機１１Ｚに関する情報として記憶部２２に記憶させる。
【００４２】
ステップＳＰ２において制御部２１は、位置方位検知部２４により、路側機１１Ｎの現在位置を表す位置情報を取得すると共に該路側機１１Ｎの正面が向いている方向の方位を表す方位情報を取得し、これらを制御部２１に供給して次のステップＳＰ３に移る。ステップＳＰ３において制御部２１は、位置情報及び方位情報を記憶部２２に記憶させ、次のステップＳＰ４に移る。
【００４３】
ステップＳＰ４において制御部２１は、ＬｉＤＡＲ部２５により計測範囲ＡＲ１（図１）に順次照射光を照射して走査することにより、該計測範囲ＡＲ１内に移動体が存在しない状態での距離計測結果を生成し、次のステップＳＰ５に移る。このとき制御部２１は、例えば所定の時間間隔を設けながら複数回に渡って距離計測結果を生成し、複数の距離計測結果の間で概ね一致した場合に、計測範囲ＡＲ１内に移動体が存在しないと見なし、この距離結果を採用する。
【００４４】
ステップＳＰ５において制御部２１は、ステップＳＰ４で生成した距離計測結果を基準距離情報として記憶部２２に記憶させた後、次のステップＳＰ６に移って初期設定処理手順ＲＴ１を終了する。このとき記憶部２２に記憶された基準距離情報は、ＬｉＤＡＲ部２５により距離計測を行う場合に、基準として（すなわち比較対象として）使用される。
【００４５】
因みに制御部２１は、例えば保守作業が行われて水平支柱４Ｎに対する取付位置や取付角度等が変化した場合等に、保守作業者が操作する所定の端末装置等から通信部２３を介して所定の初期化実行命令を受信したときにも、初期設定処理手順ＲＴ１を実行するようになっている。
【００４６】
［２−２．移動体情報通知処理手順］
次に、路側機１１Ｎによる移動体情報通知処理について説明する。路側機１１Ｎの制御部２１は、記憶部２２に予め記憶されている移動体情報通知プログラムを読み出して実行することにより、図１に示した移動体検知部３１等の各機能ブロックを内部に形成した上で、図９に示す移動体情報通知処理手順ＲＴ２を開始して最初のステップＳＰ１１へ移る。
【００４７】
ステップＳＰ１１において制御部２１は、ＬｉＤＡＲ部２５により計測範囲ＡＲ１内で距離計測を行い、得られた距離計測結果を該ＬｉＤＡＲ部２５から取得すると共に記憶部２２に記憶させ、次のステップＳＰ１２へ移る。因みに記憶部２２には、過去所定期間における距離計測結果が記憶されており、直近の距離計測結果を残すように逐次更新される。
【００４８】
ステップＳＰ１２において制御部２１は、移動体検知部３１（図１）により距離計測結果から移動体を検知し、次のステップＳＰ１３へ移る。具体的に移動体検知部３１は、まず抽出処理部４１により、今回得られた距離計測結果を過去の距離計測結果や基準距離情報と比較することにより、移動体と見なし得る部分を抽出する。さらに移動体検知部３１は、移動状態認識部４２により、距離計測結果の時間的な変化等を基に、抽出した移動体の移動方向や移動速度等を認識する。
【００４９】
ステップＳＰ１３において制御部２１は、ステップＳＰ１２において検知した各移動体に関する情報、すなわち移動方向や移動速度等でなる検知結果を移動体検知情報として記憶部２２に記憶させ、次のステップＳＰ１４へ移る。因みに記憶部２２には、過去所定期間における各移動体の移動状態が記憶され、直近の移動状態を残すように逐次更新される。例えば制御部２１は、計測範囲ＡＲ１外へ移動したために距離計測結果から検知できなくなった移動体があった場合、当該移動体に関する移動体検知情報を消去する。
【００５０】
ステップＳＰ１４において制御部２１は、計測範囲ＡＲ１内に新たに侵入した移動体（以下これを侵入移動体と呼ぶ）があるか否かを判定する。ここで肯定結果が得られると、このことは、侵入移動体が新たに計測範囲ＡＲ１内へ侵入してきたものの、この段階では距離計測結果を基に当該侵入移動体の大まかな大きさや進行方向及び移動速度等が判明しているに過ぎず、車両種別等の詳細な情報が不明であることを表している。このとき制御部２１は、次のステップＳＰ１５へ移る。
【００５１】
ステップＳＰ１５において制御部２１は、侵入移動体がタグ読出範囲ＡＲ２内に入ったタイミングでタグリーダ部２６により当該移動体からのタグ情報の読み取りを試み、次のステップＳＰ１６に移る。具体的に制御部２１は、タグ読出範囲ＡＲ２にある各移動体からそれぞれタグ情報を読み取り、これらを過去に読み出したタグ情報と比較することにより、新たに得られたタグ情報を侵入移動体のタグ情報として特定する。
【００５２】
ステップＳＰ１６において制御部２１は、侵入移動体のタグ情報を読み出し得たか否かを判定する。ここで肯定結果が得られると、制御部２１は次のステップＳＰ１７に移る。ステップＳＰ１７において制御部２１は、新たに得られたタグ情報の内容、すなわち通行区分や車両種別等を、侵入移動体の移動体検知情報と対応付けて記憶部２２に記憶させ、次のステップＳＰ１８へ移る。
【００５３】
一方、ステップＳＰ１６において否定結果が得られると、このことは侵入移動体が無線タグ５１を有していない等の理由によりタグ情報を読み出し得なかったことを表している。この場合、制御部２１は、距離計測結果を基に得られた侵入移動体の大まかな大きさや形状等を基に車両種別を判定し、該車両種別を該侵入移動体の移動体検知情報に含める。
【００５４】
ステップＳＰ１８において制御部２１は、暫定的な処理として、この段階で検知している全ての移動体を通知対象に設定し、次のステップＳＰ１９へ移る。この通知対象とは、対象道路２Ａ（すなわち道路２Ｎ）上に存在し対象路側機１１Ａにより検知された移動体のうち、他道路２Ｚ（すなわち道路２Ｅ、２Ｗ及び２Ｓ）上に存在する他移動体に対して、情報を通知するべきものとして選定されたことを意味する。
【００５５】
ステップＳＰ１９において制御部２１は、除外処理部３２（図３）により、通知対象のうち、対象道路２Ａ（すなわち道路２Ｎ）を下り方向へ、すなわち交差点１から離隔する北方向へ移動する移動体があるか否かを判定する。ここで肯定結果が得られると、制御部２１は次のステップＳＰ２０へ移る。ステップＳＰ２０において制御部２１は、ステップＳＰ１９において下り方向へ移動していると判定された移動体の移動速度が所定の基準速度（例えば１０［ｋｍ／ｈ］）以上であるか否かを判定する。
【００５６】
ここで肯定結果が得られると、このことは当該移動体が交差点１から比較的大きい速度で下り方向へ遠ざかっているため、仮に他道路２Ｚから対象道路２Ａに新たな移動体が進行してきたとしても、当該移動体に衝突する可能性が極めて低く、当該移動体に関する情報を他移動体に通知する必要性が極めて低いことを表している。このとき制御部２１は、次のステップＳＰ２１に移り、除外処理部３２により、当該移動体を通知対象から除外して、その次のステップＳＰ２２に移る。
【００５７】
一方、ステップＳＰ１９において否定結果が得られると、このことは通知対象が上り方向へ移動しているか、或いは停止している移動体であるため、仮に他道路２Ｚから対象道路２Ａに新たな移動体が進行してきた場合、当該移動体に衝突する可能性があり、当該移動体に関する情報を他移動体に通知する必要性があることを表している。このとき制御部２１は、当該移動体を通知対象としたまま、次のステップＳＰ２２に移る。
【００５８】
また、ステップＳＰ２０において否定結果が得られると、このことは通知対象が下り方向へ移動しているものの、その移動速度が比較的小さい移動体、例えば歩行者８等であるため、仮に他道路２Ｚから対象道路２Ａに新たな移動体が進行してきた場合、当該移動体に衝突する可能性があり、当該移動体に関する情報を他移動体に通知する必要性があることを表している。このとき制御部２１は、やはり当該移動体を通知対象としたまま、次のステップＳＰ２２に移る。
【００５９】
ステップＳＰ２２において制御部２１は、移動体情報生成部３３により、通知対象である各移動体に関する移動体検知情報を記憶部２２から読み出して移動体情報を生成し、次のステップＳＰ２３へ移る。この移動体情報には、計測方向における通知対象の移動体に関する情報として、当該移動体の移動方向や移動速度の他、タグ情報に含まれていた車両種別や通行区分等が含まれる。また移動体情報には、対象路側機１１Ａ（すなわち路側機１１Ｎ）の位置や方位を表す情報等も含まれる。
【００６０】
ステップＳＰ２３において制御部２１は、通信部２３により移動体情報を他路側機１１Ｚ（すなわち路側機１１Ｅ、１１Ｗ及び１１Ｓ）へ、換言すれば計測方向と異なる他方向を向いた各路側機１１へ送信した後、次のステップＳＰ２４に移って移動体情報通知処理手順ＲＴ２を終了する。
【００６１】
これに応じて他路側機１１Ｚは、受信した移動体情報を他道路２Ｚ上の他移動体に対して送信する。例えば他道路２Ｚである道路２Ｅ（図１）を走行している自動車５Ｃは、通信部５２（図５）により移動体情報を受信すると、これを表示処理部５３に供給する。表示処理部５３は、当該自動車５Ｃが道路２Ｅを上り方向へ、すなわち交差点１へ向けて進行している場合、例えば移動体情報に含まれる移動体の種別情報、位置及び速度等に基づいた画像データを生成し、これを表示部５４に供給して表示させ、これにより運転者等に視認させる。
【００６２】
［３．効果等］
以上の構成において、本実施の形態による移動体情報通知システム１０では、対象路側機１１Ａに設けられたＬｉＤＡＲ部２５により計測範囲ＡＲ１内の移動体を検知し、また各移動体の無線タグ５１からタグ情報を読み出し、これらを基に生成した移動体情報を他路側機１１Ｚへ送信して他移動体へ通知させるようにした。
【００６３】
このとき対象路側機１１Ａでは、距離センサとしての性質を有するＬｉＤＡＲ部２５により多数の照射方向を走査するようにパルス状のレーザでなる照射光を照射し、戻ってくる反射光を基に各照射方向の距離をそれぞれ計測し、これらを平面上における照射方向に応じた位置に配置して、２次元画像状の距離計測結果を生成する（図４）。
【００６４】
このため対象路側機１１Ａでは、例えばカメラ等により画像を撮像し画像処理等によって各移動体の外形を抽出し、或いはその位置を算出する場合と比較して、各照射方向の距離を極めて精度良く検知できるため、これを基に移動体の有無やその形状、或いは移動速度や移動方向についても極めて高精度に検知できる。
【００６５】
この結果、移動体情報通知システム１０では、周囲の明るさ等に影響を受けることなく、対象道路２Ａにおける移動体に関する極めて高精度な情報でなる移動体情報を生成できる。これに伴い、移動体情報通知システム１０では、この移動体情報を他道路２Ｚ上の他移動体に通知することで、交差点１において死角があることに起因した事故の防止や軽減に繋げることができる。
【００６６】
またＬｉＤＡＲ部２５は、パルス状の照射光を照射して得られる戻り光の受光結果を基に距離を計測しており、電磁波を利用するレーダーと比較して、より短い波長を利用しているためにより高精度に距離を計測することができる。また一般に、ＬｉＤＡＲ部２５は、レーダーよりも低コストで構成できる。このため移動体情報通知システム１０では、レーダーを使用する場合と比較して、コストを低く抑えながら、高精度に移動体を検知することができる。
【００６７】
さらに対象路側機１１Ａでは、ＬｉＤＡＲ部２５の計測範囲ＡＲ１に新たに入ってきた侵入移動体から、タグリーダ部２６によりタグ情報を読み出し、これを該侵入移動体の移動体検知情報に追加するようにした（図９、ステップＳＰ１５〜ＳＰ１７）。これにより対象路側機１１Ａは、ＬｉＤＡＲ部２５により得られる距離計測結果のみからでは知り得ない情報、例えば通行区分等のような種別を表す情報を移動体情報に含めることができる。
【００６８】
この結果、移動体情報通知システム１０では、例えば交差点１において死角となる対象道路２Ａから緊急車両が近づいてくることを、他道路２Ｚ上の各移動体に対し、当該緊急車両を視認する前から知覚させることができ、交差点１へ進入せずに緊急車両を通過させる等、車両の種別に応じた適切な対処を行わせることができる。
【００６９】
また対象路側機１１Ａでは、ＬｉＤＡＲ部２５により得られる距離計測結果からでは車両種別の判別が難しい場合であっても、タグ情報を基に正確な車両種別を取得して移動体通知情報に加えることができる。例えば対象路側機１１Ａは、自動二輪車及び自転車のように、それぞれの正面を表す距離計測結果のみからでは判別が困難な場合であっても、タグ情報を基に、その車両種別を正確に知得できる。
【００７０】
これにより移動体情報通知システム１０では、他道路２Ｚ上の各移動体の運転者に対し、交差点１において死角となる対象道路２Ａを走行している車両の種別を視認する前から知覚させることができ、各移動体の特性や形状等に応じた適切な対応を、事前に余裕をもって準備させることができる。
【００７１】
また対象路側機１１Ａでは、移動体情報に該対象路側機１１Ａの位置や方位に関する情報も含めるようにした。これにより移動体情報通知システム１０では、交差点１における所定の道路２を走行している車両が、他の各道路２に関する移動体情報を受信した場合であっても、各移動体情報が何れの道路２から通知された情報であるかを正確に判断でき、運転者等に対し正確な情報を伝えることができる。
【００７２】
そのうえ対象路側機１１Ａでは、通知対象のうち対象道路２Ａを交差点１から離隔する下り方向へ移動する移動体の移動体検知情報を除外するようにした（図９、ステップＳＰ１９及びＳＰ２１）。これにより移動体情報通知システム１０では、他道路２Ｚから対象道路２Ａに新たな移動体が進行してきたとしても、当該移動体に衝突する可能性が極めて低いため、当該移動体を通知対象から除外することにより、他の通知対象を埋もれさせること無く際立たせること、すなわち危険性のより高い移動体に関する重要な情報に着目させることができる。
【００７３】
これに加えて対象路側機１１Ａでは、通知対象のうち対象道路２Ａを交差点１から離隔する下り方向へ移動する移動体であっても、その移動速度が基準速度未満である場合、通知対象から除外しないようにした（ステップＳＰ９、ステップＳＰ２０）。これにより移動体情報通知システム１０では、比較的低速に移動する歩行者８等を通知対象として残すことができるので、他道路２Ｚから対象道路２Ａに新たな移動体が進行してきたときに、交差点１の近傍に存在する可能性が高い移動体に関する情報を確実に通知することができる。
【００７４】
さらに移動体情報通知システム１０では、交差点１に接続される各道路２に対し、互いに同等に構成された路側機１１をそれぞれ設置し、各路側機１１をネットワーク１２により接続し（図３）、初期設定処理手順ＲＴ１（図８）において自動的に相互を認識するようにした。このため移動体情報通知システム１０は、交差点１に接続される道路２の本数が様々に相違する場合や、該交差点１に接続される道路２のうち一部のみに路側機１１を設置する場合であっても、各路側機１１の構成を変更する必要なく、様々な環境に対し柔軟に且つ容易に対応できる。
【００７５】
以上の構成によれば、本実施の形態による移動体情報通知システム１０では、対象路側機１１ＡのＬｉＤＡＲ部２５により計測範囲ＡＲ１内における距離を計測して得られる距離計測結果を基に移動体を検知し、各移動体の無線タグ５１から車両種別等のタグ情報を読み出す。続いて移動体情報通知システム１０では、検知した移動体に関する移動体検知情報を基に移動体情報を生成し、これを他路側機１１Ｚへ送信して他移動体へ通知させる。これにより移動体情報通知システム１０では、周囲の明るさ等に影響を受けることなく、対象道路２Ａにおける移動体に関する極めて高精度な移動体情報を生成でき、この移動体情報を他道路２Ｚ上の他移動体に通知することで、交差点１において死角があることに起因した事故の防止や軽減に繋げることができる。
【００７６】
［４．他の実施の形態］
なお上述した実施の形態においては、通知対象とした移動体のうち下り方向へ移動するものを通知対象から除外する場合について述べた（図９、ステップＳＰ１９及びＳＰ２１）。しかしながら本発明はこれに限らず、例えば道路２において上り車線及び下り車線が明確に分かれている場合に、下り車線を走行している移動体を通知対象から除外しても良い。或いは、これと反対に、通知対象となった全ての移動体を除外すること無く移動体情報として通知しても良い。
【００７７】
また上述した実施の形態においては、通知対象とした移動体のうち下り方向へ移動するものを除外する際、基準速度未満の移動体については除外しない場合について述べた（図９、ステップＳＰ２０）。しかしながら本発明はこれに限らず、例えば速度に拘わらず、下り方向へ移動する移動体を全て通知対象から除外しても良い。
【００７８】
さらに上述した実施の形態においては、ＬｉＤＡＲ部２５により計測範囲ＡＲ１内で距離計測を行って得られた距離計測結果を基に、過去の距離計測結果及び基準距離情報を基に移動体を検知する場合について述べた。しかしながら本発明はこれに限らず、例えば過去の距離計測結果及び基準距離情報の何れか一方のみを基に移動体を検知しても良い。
【００７９】
さらに上述した実施の形態においては、初期設定処理手順ＲＴ１（図８）において基準距離情報を生成して記憶部２２に記憶させる場合について述べた。しかしながら本発明はこれに限らず、例えば交通量が少ない時間帯（例えば深夜等）等、任意のタイミングでＬｉＤＡＲ部２５により計測範囲ＡＲ１内における距離を計測し、得られた計測結果を基に基準距離情報を更新しても良い。
【００８０】
さらに上述した実施の形態においては、１本の道路２に１個の路側機１１を設置する場合について述べた（図１）。しかしながら本発明はこれに限らず、例えば道路２に複数の車線が設定されている場合に、車線ごとに路側機１１を設置しても良い。この場合、例えば各路側機１１の計測範囲ＡＲ１及びタグ読出範囲ＡＲ２を何れも１本の車線内とするように調整することにより、距離計測結果から検知される移動体とタグ情報との対応付けの精度を高めることができる。或いは、例えば１本の道路に対してＬｉＤＡＲ部２５を１個設ける一方でタグリーダ部２６を車線ごとに設置しても良く、これによりＬｉＤＡＲ部２５の個数を必要最小限に抑えることができ、構成の簡易化によるコストの低減化を図ることができる。
【００８１】
さらに上述した実施の形態においては、１箇所の交差点１に接続されるそれぞれの道路２に路側機１１を設け、各路側機１１に１本の道路２のみを対象に距離を計測するＬｉＤＡＲ部２５をそれぞれ設ける場合について述べた。しかしながら本発明はこれに限らず、例えば１箇所の交差点１に１個のＬｉＤＡＲ部を設け、該ＬｉＤＡＲ部の走査部においてミラーを水平方向に３６０°の範囲で回転させる等して、全ての道路２を対象に距離を計測しても良い。
【００８２】
さらに上述した実施の形態においては、レーザをパルス状に照射するＬｉＤＡＲ部２５により計測範囲ＡＲ１の距離計測結果を生成して移動体を検知する場合について述べた。しかしながら本発明はこれに限らず、光を用いた他の種々の手段により計測範囲ＡＲ１の距離計測結果を生成し、これを基に移動体を検知しても良い。
【００８３】
さらに上述した実施の形態においては、タグ情報として通行区分及び車両情報、すなわち移動体のおおよその大きさを表す情報や、該移動体のおおよその移動速度を表す情報、或いは優先されるべき度合を表す情報を格納する場合について述べた（図６及び図７）。しかしながら本発明はこれに限らず、例えば車両の全長、全幅及び全高のような詳細な大きさに関する情報や、バスやタクシー、若しくは配達の業務を行う車両であり人の乗降等のために停車する可能性があることを表す情報等、移動体の種別を表す種々の情報を格納しても良い。
【００８４】
さらに上述した実施の形態においては、初期設定処理手順ＲＴ１（図８）において位置方位検知部２４（図３）により生成した位置情報及び方位情報を、移動体情報通知処理手順ＲＴ２（図９）において移動体情報に含めて送信する場合について述べた。しかしながら本発明はこれに限らず、例えば位置情報及び方位情報の少なくとも一方を移動体情報から省略しても良い。この場合、位置方位検知部２４から位置検知に関する部品や方位検知に関する部品を省略でき、これにより構成を簡略化することができる。
【００８５】
さらに上述した実施の形態においては、路側機１１に位置方位検知部２４（図３）を設け、該位置方位検知部２４により路側機１１の位置及び方位を検知して位置情報及び方位情報をそれぞれ生成する場合について述べた。しかしながら本発明はこれに限らず、例えば路側機１１の設置時に作業員等が所定の位置計測器や方位計測器等を用いて位置及び方位を計測し、これにより得られた位置情報及び方位情報を路側機１１の記憶部２２に記憶させても良い。この場合、路側機１１から位置方位検知部２４を省略して構成を簡略化することができる。
【００８６】
さらに上述した実施の形態においては、初期設定処理手順ＲＴ１（図８）において、他の路側機１１に関する情報を取得する場合について述べた。しかしながら本発明はこれに限らず、例えば路側機１１の設置時に作業員等が他の路側機１１に関する情報を手動で設定するようにしても良い。
【００８７】
さらに上述した実施の形態においては、対象路側機１１Ａにより生成した移動体情報を他路側機１１Ｚへ送信することにより、該他路側機１１Ｚから他道路２Ｚ上の移動体へ該移動体情報を送信させる場合について述べた（図９、ステップＳＰ２３）。しかしながら本発明はこれに限らず、例えば対象路側機１１Ａの通信部２３（図３）から他道路２Ｚの移動体へ移動体情報を直接送信しても良い。また、移動体に移動体情報を送信するための手段としては、無線ＬＡＮに限らず、例えば４Ｇや５Ｇと呼ばれる携帯電話用の移動体通信網を利用しても良く、或いは交差点１にＤＳＲＣ（Dedicated Short Range Communication）装置等のような他の通信可能な機器が設置されている場合に、これを利用しても良い。
【００８８】
さらに上述した実施の形態においては、４本の道路２が交差する交差点１において、各道路２にそれぞれ路側機１１を設置する場合について述べた（図１）。しかしながら本発明はこれに限らず、例えば山道のように見通しの悪い急カーブがある箇所において、該急カーブにおける両側の道路にそれぞれ路側機１１を設置し、それぞれ移動体情報を生成するようにしても良い。
【００８９】
さらに上述した実施の形態においては、交差点１に接続された全ての道路２にそれぞれ路側機１１を設ける場合について述べた（図１）。しかしながら本発明はこれに限らず、例えば幅が広い道路と幅が狭い道路とが交差する交差点において、幅が広い道路にのみ路側機１１を設置し、該幅が広い道路上の移動体に関する移動体情報を生成して、幅が狭い道路を移動する移動体にこれを通知しても良い。要は、対象道路から見て他の道路が死角となる恐れがある場合に、当該他の道路上の移動体に関する移動体情報を対象道路上の移動体に通知できれば良い。
【００９０】
さらに本発明は、上述した実施の形態及び他の実施の形態に限定されるものではない。すなわち本発明は、上述した実施の形態と上述した他の実施の形態の一部又は全部を任意に組み合わせた実施の形態や、一部を抽出した実施の形態にもその適用範囲が及ぶものである。
【００９１】
さらに上述した実施の形態においては、移動体検知部としてのＬｉＤＡＲ部２５及び移動体検知部３１と、種別情報取得部としてのタグリーダ部２６と、移動体情報生成部としての移動体情報生成部３３と、通知部としての通信部２３とによって移動体情報通知装置としての路側機１１を構成する場合について述べた。しかしながら本発明はこれに限らず、その他種々の構成でなる移動体検知部と、種別情報取得部と、移動体情報生成部と、通知部とによって移動体情報通知装置を構成しても良い。
【産業上の利用可能性】
【００９２】
本発明は、例えば交差点の近傍の道路を走行する車両に対し、他の道路を走行する車両に関する情報を通知する種々のシステムでも利用できる。
【符号の説明】
【００９３】
１……交差点、２……道路、２Ａ……対象道路、２Ｚ……他道路、５……自動車、８……歩行者、１０……移動体情報通知システム、１１……路側機、１１Ａ……対象路側機、１１Ｚ……他路側機、２１……制御部、２２……記憶部、２３……通信部、２４……位置方位検知部、２５……ＬｉＤＡＲ部、２６……タグリーダ部、３１……移動体検知部、３２……除外処理部、３３……移動体情報生成部、４１……抽出処理部、４２……移動状態認識部、５１……無線タグ、５２……通信部、６１……アンテナ部、６２……信号処理部、６３……記憶部、ＡＲ１……計測範囲、ＡＲ２……タグ読出範囲、Ｔ１……タグ情報テーブル。
【図１】
2020035397.tif 000003
【図２】
2020035397.tif 000004
【図３】
2020035397.tif 000005
【図４】
2020035397.tif 000006
【図５】
2020035397.tif 000007
【図６】
2020035397.tif 000008
【図７】
2020035397.tif 000009
【図８】
2020035397.tif 000010
【図９】
2020035397.tif 000011